(57)【要約】【課題】  ディスク単体やケースに内包したディスクを選択的に装着し記録又は再生するディスク装置では、従来ディスク装置外にディスク又はケースを載置するためのトレイをスライドさせ使用していた。このため、トレイ及びトレイをスライドさせる機構が必要となり小型化に不向きであった。また、装置が複雑化していた。【解決手段】  ディスク装置はディスクを仮止めする仮止め部を有し、ディスクケースを略装着位置に案内するためのケース案内部と、ディスクケースの位置決めを行うための位置決めピンと、ディスクケースを押圧するバネ部を有し、ディスク単体を装着する際には、仮止め部にディスクを仮止めした後にクランパでスピンドルモータに固定する。またディスクケースでディスク装置に装着する際には、ディスクケース押圧バネをディスクケースで押しながら位置決めしクランパで固定する。【選択図】  図１
2005166127.tif 000002
【特許請求の範囲】
【請求項１】
ディスク単体あるいは、ディスクケースに内包されたディスクを選択的に装着して記録あるいは再生を行うディスク装置で、
前記ディスク装置は、前記ディスクを装着して回転可能なスピンドルモータと、前記ディスクを前記スピンドルモータに固定するクランパを有しており、
前記ディスクはほぼ中心部に前記スピンドルモータと勘合し回転軸あわせをする穴部を有しており、
前記ディスク装置は、前記ディスクを仮止めする仮止め部を有しており、
前記ディスク単体をディスク装置に装着する際には、前記仮止め部に前記ディスクを仮止めした後に前記クランパでスピンドルモータに固定することを特徴としたディスク装置。
【請求項２】
請求項１記載のディスク装置において、
前記スピンドルモータは少なくとも１つ以上の爪部を有しており、前記爪部が前記ディスクのほぼ中心部の穴に係ることで前記ディスクの仮止めを行うことを特徴としたディスク装置。
【請求項３】
請求項２記載のディスク装置において、
前記爪部がスピンドルモータの回転中心方向に弾性を有したことを特徴としたディスク装置。
【請求項４】
請求項２記載のディスク装置において、
仮止めされた前記ディスクを取り外すための抜去力Ｆｂは、前記ディスクの質量Ｍ、重力加速度ｇとすると、
Ｆｂ＞Ｍ×ｇ
をなすことを特徴としたディスク装置。
【請求項５】
請求項２記載のディスク装置において、
前記スピンドルモータと前記クランパは磁力等の吸着手段によりお互い吸着する吸着機構を有しており、
前記スピンドルモータと前記クランパの間に前記ディスクを挟み込んで吸着することで前記ディスクを前記スピンドルモータに固定し、
前記吸着力をＦｋ、前記ディスク仮止め部に前記ディスクを装着する際に必要な装着力をＦｓとすると、
Ｆｓ＜Ｆｋ
をなすことを特徴としたディスク装置。
【請求項６】
請求項１記載のディスク装置において、
前記ディスク装置は前記ディスクケースの装着位置から前記ディスクケースが脱落するのを防止する構成であることを特徴としたディスク装置。
【請求項７】
請求項６記載のディスク装置において、
前記ディスク装置は前記ディスクケースの位置決めを行うための位置決めピンと、前記ディスクケースを押圧するバネ部を有しており、
前記ディスクケースは、前記位置決めピンと勘合する位置決め穴を有しており、
前記ディスクケースに内包されたディスクを前記ディスク装置に装着する際には、前記ディスクケース押圧バネを前記ディスクケースで押しながらディスクケースを略装着位置まで移動し、前記ディスクケースの位置決め穴を前記ディスク装置の位置決めピンに勘合させて装着位置に位置決めされ、
前記ディスクケースが装着位置にある時、前記押圧バネのバネ力による位置決めピンと位置決め穴との間の摩擦力で、位置決め穴が位置決めピンから脱落することを防止して前記ディスクケースの脱落を防止し、
前記ディスクケースが装着位置にある状態で前記クランパにより前記ディスクをスピンドルモータに固定することを特徴としたディスク装置。
【請求項８】
請求項６記載のディスク装置において、
前記ディスクケースは、前記ディスク装置が前記ディスクに対し記録あるいは再生するための開口部を有しており、
前記開口部は常に外部に露出したことを特徴としたディスク装置。
【発明の詳細な説明】
【技術分野】
【０００１】
本発明はディスク状の記録媒体を使用するディスク装置に関するものであり、特にディスク装着機構に関するものである。
【背景技術】
【０００２】
ディスク状の記録媒体には、ＣＤ−ＲＯＭのようにディスクを単体でディスク装置に装着して使用するものと、ＤＶＤ−ＲＡＭのようにディスクケースに入った状態で装着して使用するものがある。一方、ディスク装置には、ＣＤ−ＲＯＭとＤＶＤ−ＲＡＭの両方のフォーマットに対応したものがあり、これに対応したディスク装置にはディスク単体での装着とディスクケースに入った状態での装着の両方に対応したものがある。
【０００３】
ディスク単体での装着とケースを使用しての装着の両方に対応した例として特許文献１が挙げられる。特許文献１ではディスク装置にトレイを配置し、このトレイをディスク単体あるいはケースの両方が載置可能な形状にすることで対応している。
【０００４】
また特許文献２もトレイを利用して両方式での装着に対応した例である。特許文献２ではトレイが垂直な時でもディスクが脱落するのを防止するストッパを配置することでディスク装置の縦置きに対応している。
【０００５】
【特許文献１】特開平７−１６１１１２号公報
【０００６】
【特許文献２】特開平９−３２０１６１号公報
【発明の開示】
【発明が解決しようとする課題】
【０００７】
ディスク装置は、パソコン用のＣＤ―ＲＯＭドライブやＤＶＤドライブ、音楽再生用ポータブルドライブなど多岐にわたっている。ここではディスクを記録媒体としたディスクカメラを考える。ディスクカメラの場合、持ち運びが頻繁に行われるため装置の小型化の要望が強い装置である。一方、ディスクの供給形態は現在、ディスク単体と、ディスクケースに内包された状態の２通りで行われているため、これらを選択的に使用したいという要望もある。しかし、ディスク単体とディスクケースの両方に対応した従来の方法では、小型化を図ることが困難であった。
【０００８】
特許文献１あるいは特許文献２では、ディスク装置の外にトレイをスライドさせて使用する構成である。このため、トレイ及びトレイをスライドさせるための機構が必要となるため小型化に不向きであった。またトレイをスライドさせるための機構が必要であるため装置が複雑化していた。
【０００９】
また用途がディスクカメラの場合、ディスク脱着の際に脱落を防止する必要がある。この脱落防止例として、特許文献２ではディスクの外周部を規制し、ディスクの脱落を防止するストッパが設けられている。ディスクの外周を規制するストッパの場合、ディスク装着の際にストッパの位置を移動させるためのストッパ移動用スペースが必要になるほか、装着後はストッパとディスクが接触しないようクリアランスを確保する必要がある。このため、ディスクの外周を規制する方法は装置の小型に不向きであった。
【課題を解決するための手段】
【００１０】
ディスク単体あるいは、ディスクケースに内包されたディスクを選択的に装着して記録あるいは再生を行うディスク装置において、ディスクを装着して回転可能なスピンドルモータと、ディスクをスピンドルモータに固定するクランパと、ディスクを仮止めする仮止め部を配置する。また、ディスクはほぼ中心部にスピンドルモータと勘合し回転軸あわせをする穴部を有する構造とする。そして、ディスク単体をディスク装置に装着する際には、仮止め部にディスクを仮止めした後にクランパでスピンドルモータに固定する。
【００１１】
また、スピンドルモータは少なくとも１つ以上の爪部を有しており、爪部がディスクのほぼ中心部の穴に係ることでディスクの仮止めを行う。
【００１２】
また、爪部がスピンドルモータの回転中心方向に弾性を有した構造とする。
また、仮止めされたディスクを取り外すための抜去力Ｆｂは、ディスクの質量Ｍ、重力加速度ｇとすると、Ｆｂ＞Ｍ×ｇとする。
【００１３】
また、スピンドルモータとクランパは磁力等の吸着手段によりお互い吸着する吸着機構を有しており、スピンドルモータとクランパの間にディスクを挟み込んで吸着することでディスクをスピンドルモータに固定し、吸着力をＦｋ、ディスク仮止め部にディスクを装着する際に必要な装着力をＦｓとすると、Ｆｓ＜Ｆｋとする。
【００１４】
また、ディスク装置はディスクケースの装着位置からディスクケースが脱落するのを防止する構成とする。
【００１５】
また、ディスク装置はディスクケースの位置決めを行うための位置決めピンと、ディスクケースを押圧するバネ部を有しており、ディスクケースは位置決めピンと勘合する位置決め穴を有した構造とする。
【００１６】
ディスクケースに内包されたディスクをディスク装置に装着する際には、ディスクケース押圧バネをディスクケースで押しながらディスクケースを略装着位置まで移動し、ディスクケースの位置決め穴をディスク装置の位置決めピンに勘合させて装着する。
【００１７】
ディスクケースが装着位置にある時、押圧バネのバネ力による位置決めピンと位置決め穴との間の摩擦力で、位置決め穴が位置決めピンから脱落することを防止してディスクケースの脱落を防止する。
【００１８】
そして、ディスクケースが装着位置にある状態でクランパによりディスクをスピンドルモータに固定する。
【００１９】
また、ディスクケースは、前記ディスク装置が前記ディスクに対し記録あるいは再生するための開口部を有しており、開口部は常に外部に露出した構造とする。
【発明の効果】
【００２０】
本発明により、ディスク単体状態とディスクケースに内包された状態のディスクを選択的に装着するディスク装置の小型化を図ることができる。
また、ディスク、ディスクケース共にの脱落防止が可能となり、ディスクおよびディスクケース装着の両対応を図ることができる。
【発明を実施するための最良の形態】
【００２１】
本発明の実施例を図１から図７を用いて説明する。図１は本発明の実施例を示した図でディスクカバーを開口した状態のディスク装置の概観図である。ディスク装置は、ディスク装置本体８とディスクカバー１０が外装をなしており、ヒンジ１７ａ、１７ｂを支点にしてディスクカバー１０を回転させて、ディスクあるいはディスクケースを装着する構造になっている。ディスク装置１内には、ディスクを回転させるスピンドルモータ２、ディスクに記録再生するヘッド５、ディスクケースを位置決めする位置決めピン４ａ、４ｂ、ディスク仮止め爪３、クランパ１１、ディスクケース案内面６、ケース押圧バネ７ａ、７ｂ、およびケース固定バネ９ａ、９ｂ、９ｃ、９ｄが配置されている。スピンドルモータ２には磁石、クランパ１１には強磁性体部品が取り付けてあり、ディスクカバー１０を閉じたときスピンドルモータ２とクランパ１１は磁力により吸着する構成になっている。
【００２２】
図２によりディスク仮止め爪について説明する。ディスク仮止め爪３ａ、３ｂ、３ｃ、３ｄ、３ｅはスピンドルモータ２に設けられている。ディスクはその中心穴をスピンドルモータ２と勘合して回転軸あわせをするが、ディスク仮止め爪はディスク中心穴に係り、仮止めを行う構造になっている。本実施例のディスク仮止め爪３ａ、３ｂ、３ｃ、３ｄ、３ｅはそれぞれスピンドルモータの回転中心方向に弾性を有する形状になっており、かつそれぞれの爪を結んで出来る円の直径は、ディスク中心穴より若干大きくなるように形成されている。ディスクをスピンドルモータに装着すると、ディスク仮止め爪３ａ、３ｂ、３ｃ、３ｄ、３ｅはスピンドルモータの回転中心方向に弾性変形した状態でディスクの中心穴に係るため、ディスク仮止め爪はディスク中心穴に力がかかった状態で接触しており、ディスクを保持することが出来る。この構造によりディスク装置が垂直な状態、あるいはさかさまにした状態でディスクを取り付けても脱落を防止することが出来る。
【００２３】
この仮止め爪によるディスク抜去力Ｆｂは、脱落を防ぐのを目的としているためディスクの質量Ｍ、重力加速度ｇとすると、
Ｆｂ＞Ｍ×ｇ
とする。実際には、ディスクカバー５の開閉に伴う振動、衝撃での脱落まで考慮して設定するのが望ましい。またディスク装着力Ｆｓは、スピンドルモータ２とクランパ１１の吸着力Ｆｋとすると、
Ｆｓ＜Ｆｋ
とする。これは、ディスクケース使用時のディスク装着を確実にするために必要となる。
【００２４】
図３により、本実施例で使用する記録媒体について説明する。図３（ａ）はディスク単体で使用する場合のディスク１２であり、ディスク１２の中心には、スピンドルモータと回転軸あわせをするためのディスク穴１３が設けられている。また、図３（ｂ）は図３（ａ）で示したディスク１２をディスクケース１５に内包したものである。図３（ｂ）のディスクケース１５は、ＤＶＤ−ＲＡＭのオプショナル規格である８ｃｍディスク用ケースである。このディスクケースの特徴として、開口部１４がシャッタ等により閉じることが無く、常に開口していることが挙げられる。このほか、ディスクケース１５には、ディスク装置内でディスクケース１５を位置決めするための位置決め穴１６ａ、１６ｂ、１６ｃが配置されている。本実施例では、ディスク１２単体でも、ディスクケース１５にディスク１２が内包された状態でも、ディスク装置に装着でき、かつディスク装置の小型化を図る構造を提供できる。
【００２５】
次に図４、図５により、本実施例のディスク装置にディスク単体を装着して使用する方法について説明する。図４はディスク装置１のディスクカバー１０をヒンジ１７ａ、１７ｂを支点にして開いた状態を示した図である。ディスク１２単体で装着する場合、まずディスク穴１３をスピンドルモータ２に勘合しディスク仮止め爪３に仮止めする。ディスク１２を仮止め爪３に仮止めすることにより、ディスク装置１が垂直になっていたり、あるいはさかさまになってもディスク１２がディスク装置１から脱落することを防ぐことが出来る。この状態からディスクカバー１０を閉じて図５の状態にすると、ディスクカバー１０に配置されたクランパ１１とスピンドルモータ２が吸着してディスク１２を挟み込み、ディスク１２とスピンドルモータ２の装着を確実にする。このようにクランパ１１によりディスク１２をスピンドルモータ２に確実に装着することで、スピンドルモータ２が回転したときにスリップすることなくディスク１２も共に回転することが出来る。なお、ディスク装置１には、ディスクケースを装着する際に必要なケース押圧バネ７ａ、７ｂおよびケース固定バネ９ａ、９ｂ、９ｃ、９ｄが配置されている。これらはディスクカバー５を閉じた状態でディスク１２と接触することがない位置に配置してある。
【００２６】
次に図６、図７により、本実施例のディスク装置にディスクケースに内包されたディスクを装着する方法について説明する。図６はディスク装置１のディスクカバー１０をヒンジ１７ａ、１７ｂを支点にして開いた状態を示した図である。ディスクケース１５に内包されたディスク１２を装着する場合、図６に示すようにディスクケース１５の端部をケース押圧バネ７ａ、７ｂに接触させ、押し込んだ状態にする。次にケース押圧バネ７ａ、７ｂを押し込んだ状態のまま、ディスクケース１５をディスク装置１のケース装着位置方向に移動する。このときディスク装置１にはテーパ状のケース案内面６が設けられているためディスクケース１５はケース案内面６に沿って容易に装着位置まで移動することが出来る。
【００２７】
そして図６に示したディスクケース１５の裏面に配置された位置決め穴にディスク装置１の位置決めピン４ａ、４ｂを勘合させることで、ディスクケース１５は図７の位置まで移動し装着位置が確定する。なお、ディスクケース１５の向きが誤っている場合は位置決めピンと位置決め穴の位置が合わないため、装着が完了せず、ユーザは誤装着をしたことを認識することが出来る。
【００２８】
ところで図６、図７に示すようにディスクケース１５が装着位置にある場合、ディスクケース１５はケース押圧バネ７ａ、７ｂにより上方向の力を受けている。一方でディスクケース１５は位置決め穴が位置決めピンと勘合しているため、移動が規制されている。このため位置決めピンと位置決め穴との間で摩擦力が生じ、位置決め穴から位置決めピンが外れるのを防止している。ディスクケースの脱落を防ぐためには、ディスクケース１５とディスク１２の質量より摩擦力を大きくすればよく、位置決めピンと位置決め穴との摩擦係数を考慮してケース押圧バネ７ａ、７ｂのバネ力を決定すればよい。
【００２９】
また、ディスクケース１５だけをハンドリングして装着すると、スピンドルモータ２のディスク仮止め爪にディスク中心穴が係止されない場合が考えられるが、ディスクカバー１０を閉じると、スピンドルモータ２とクランパ１１が吸着しディスクが挟み込まれる状態になる。ここでディスクの吸着力Ｆｋは、装着力Ｆｓより大きいため確実にディスクをスピンドルモータに固定することが出来る。そしてディスクカバー１０を閉じた状態では、ケース固定バネ９ａ、９ｂ、９ｃ、９ｄがディスクケース１５をディスク装置本体８側に押し付けてケース自体の固定も完了する。
【図面の簡単な説明】
【００３０】
【図１】本発明の実施例を示す図で、ディスク単体あるいは、ディスクケースに内包されたディスクを装着する際に開閉するディスクカバーを開口した状態のディスク装置の概観図である。
【図２】本発明の実施例を示す図で、スピンドルモータに設けられたディスク仮止め爪の詳細図である。
【図３】本発明のディスク装置に使用するディスク単体とディスクケースに内包されたディスクの概観図である。
【図４】本発明の実施例を示す図で、ディスク装置のディスク仮止め爪にディスク単体を装着した図である。
【図５】本発明の実施例を示す図で、ディスクカバーを閉口した状態のディスク装置の概観図である。
【図６】本発明の実施例を示す図で、ディスク装置にディスクケースを装着する様子を説明した図である。
【図７】本発明の実施例を示す図で、ディスク装置にディスクケースを装着した図である。
【符号の説明】
【００３１】
１…ディスク装置
２…スピンドルモータ
３、３ａ、３ｂ、３ｃ、３ｄ、３ｅ…ディスク仮止め爪
４ａ、４ｂ…ケース位置決めピン
５…ヘッド
６…ケース案内面
７ａ、７ｂ…ケース押圧バネ
８…ディスク装置本体
９ａ、９ｂ、９ｃ、９ｄ…ケース固定バネ
１０…ディスクカバー
１１…クランパ
１２…ディスク
１３…ディスク穴
１４…開口部
１５…ディスクケース
１６ａ、１６ｂ、１６ｃ…ケース位置決め穴
１７ａ、１７ｂ…ヒンジ
【図１】
2005166127.tif 000003
【図２】
2005166127.tif 000004
【図３】
2005166127.tif 000005
【図４】
2005166127.tif 000006
【図５】
2005166127.tif 000007
【図６】
2005166127.tif 000008
【図７】
2005166127.tif 000009